(57)【要約】【課題】建物のセキュリティレベルを向上させることができるセキュリティシステムを提供すること。【解決手段】セキュリティシステムは、玄関ドアの開閉状態を検出するドアセンサ装置１０と、窓の施解錠状態を検出する窓センサ装置２０と、これらセンサ装置１０，２０との間で通信を行って玄関ドアの開閉状態または窓の施解錠状態を監視して、警報ブザー５８を鳴動させない在宅モード及び該監視とともに玄関ドアが開かれた場合または窓が解錠された場合に警報ブザー５８を鳴動させる追加警戒モードを有するモニタ装置５０とを備える。ドアセンサ装置１０は、追加警戒モードセットスイッチ１２と、この追加警戒モードセットスイッチ１２の操作に基づいて警戒セット信号を出力するドアセンサ側マイコン１５とを備える。モニタ装置５０は、警戒セット信号に基づいて在宅モードへの切り換えを不可とするモニタ側マイコン５４を備える。【選択図】      図３
2005141394.tif 000002
【特許請求の範囲】
【請求項１】
建物の開閉体に配設され、該開閉体の開閉状態または施解錠状態を検出するセンサ装置と、
単数または複数の前記センサ装置との間で通信を行って前記開閉体の開閉状態または施解錠状態を監視して警報を発しない監視モード及び該監視とともに前記開閉体が開かれた場合または前記開閉体が解錠された場合に警報を発する警戒モードを有するモニタ装置と、を備えたセキュリティシステムにおいて、
前記センサ装置は、前記開閉体の近傍に配設された第１操作手段と、
前記第１操作手段の操作に基づいて警戒セット信号を出力するセンサ側制御手段とを備え、
前記モニタ装置は、該モニタ装置近傍に配設されたモニタ側操作手段と、
前記モニタ側操作手段の操作に基づいて前記監視モードと前記警戒モードとを選択的に切り換えるとともに、前記警戒セット信号に基づいて前記警戒モードから前記監視モードへの切り換えを不可とするモニタ側制御手段とを備えたことを特徴とするセキュリティシステム。
【請求項２】
前記センサ装置は、暗証コードを記録する記録手段と、前記開閉体の近傍に配設された第２操作手段とを備え、
前記センサ側制御手段は、前記第２操作手段の操作により入力されるコードが前記暗証コードと一致する場合に警戒リセット信号を出力し、
前記モニタ側制御手段は、前記警戒リセット信号が入力されたことを条件として、前記警戒モードから前記監視モードに切り換わることを特徴とする請求項１に記載のセキュリティシステム。
【請求項３】
前記センサ装置は、前記開閉体の近傍に配設された第２操作手段を備え、
前記センサ側制御手段は、前記第２操作手段の操作に基づいて警戒リセット信号を出力し、
前記モニタ側制御手段は、前記警戒リセット信号が入力され、且つ前記モニタ側操作手段が操作されたことを条件として前記警戒モードから前記監視モードに切り換わることを特徴とする請求項１または請求項２に記載のセキュリティシステム。
【発明の詳細な説明】
【技術分野】
【０００１】
本発明は、建物のセキュリティシステムに関するものである。
【背景技術】
【０００２】
従来、例えば特許文献１に示される「建物用施錠装置の施解錠状態監視装置」が提案されている。この種の施解錠状態監視装置は、警戒モードにおいて窓が解錠された場合や窓ガラスが割られた場合に警報を発する。ユーザ（家人）は、夜間や外出時に施解錠状態監視装置を警戒モードにセットしておくことにより、建物内への不法侵入を抑制することができる。
【０００３】
詳しくは、施解錠状態監視装置は、建物の窓に配設されたセンサ装置とモニタ装置とから構成されている。モニタ装置には、窓の施解錠状態を表示する監視モードと、窓の施解錠状態を表示するとともに窓が解錠された場合に警報部を作動させて警報を発する警戒モードとがある。モニタ装置は警戒スイッチ及びリセットスイッチを備えており、警戒スイッチが押圧操作されると監視モードから警戒モードに切り換わり、リセットスイッチが押圧操作されると警戒モードから監視モードに切り換わるようになっている。
【特許文献１】特開２００２−１１５４２９号公報
【発明の開示】
【発明が解決しようとする課題】
【０００４】
ところで、近年、窓からの不法侵入の監視とともに、玄関ドアからの不法侵入も監視したいといった強い要望がある。そこで、前記施解錠状態監視装置のセンサ装置を玄関ドアに配設して、モニタ装置を警戒モードにセットすることにより玄関ドアの開閉状態を監視できるようにすることが考えられる。しかし、この場合、第三者がピッキング等の不正行為により玄関から侵入してリセットスイッチを押圧操作すると、モニタ装置が警戒モードから監視モードに切り換わってしまうといった問題がある。よって、玄関等にセンサ装置を設けた場合における建物のセキュリティレベルの向上が望まれている。
【０００５】
本発明は、こうした実情に鑑みてなされたものであり、その目的は、建物のセキュリティレベルを向上させることができるセキュリティシステムを提供することにある。
【課題を解決するための手段】
【０００６】
上記の課題を解決するために、請求項１に記載の発明では、建物の開閉体に配設され、該開閉体の開閉状態または施解錠状態を検出するセンサ装置と、単数または複数の前記センサ装置との間で通信を行って前記開閉体の開閉状態または施解錠状態を監視して警報を発しない監視モード及び該監視とともに前記開閉体が開かれた場合または前記開閉体が解錠された場合に警報を発する警戒モードを有するモニタ装置と、を備えたセキュリティシステムにおいて、前記センサ装置は、前記開閉体の近傍に配設された第１操作手段と、前記第１操作手段の操作に基づいて警戒セット信号を出力するセンサ側制御手段とを備え、前記モニタ装置は、該モニタ装置近傍に配設されたモニタ側操作手段と、前記モニタ側操作手段の操作に基づいて前記監視モードと前記警戒モードとを選択的に切り換えるとともに、前記警戒セット信号に基づいて前記警戒モードから前記監視モードへの切り換えを不可とするモニタ側制御手段とを備えたことを要旨とする。
【０００７】
請求項２に記載の発明では、前記センサ装置は、暗証コードを記録する記録手段と、前記開閉体の近傍に配設された第２操作手段とを備え、前記センサ側制御手段は、前記第２操作手段の操作により入力されるコードが前記暗証コードと一致する場合に警戒リセット信号を出力し、前記モニタ側制御手段は、前記警戒リセット信号が入力されたことを条件として、前記警戒モードから前記監視モードに切り換わることを要旨とする。
【０００８】
請求項３に記載の発明では、前記センサ装置は、前記開閉体の近傍に配設された第２操作手段を備え、前記センサ側制御手段は、前記第２操作手段の操作に基づいて警戒リセット信号を出力し、前記モニタ側制御手段は、前記警戒リセット信号が入力され、且つ前記モニタ側操作手段が操作されたことを条件として前記警戒モードから前記監視モードに切り換わることを要旨とする。
【０００９】
以下、本発明の作用について説明する。
請求項１に記載の発明によれば、センサ装置は、第１操作手段が操作された場合に警戒セット信号を出力する。モニタ側制御手段は、センサ装置から出力された警戒セット信号に基づいて警戒モードから監視モードへの切り換えを不可とする。ユーザは外出時にセンサ装置の第１操作手段を操作することによって、モニタ装置のモードを警戒モードから監視モードへ切り換えることができないようにすることができる。つまり、警戒モードで警報が発せられた場合、警報を発しない監視モードに切り換えることができないようにすることで該警報の停止を不可とすることができる。従って、建物のセキュリティレベルを向上させることができる。
【００１０】
請求項２に記載の発明によれば、センサ側制御手段は、第２操作手段から入力されたコードと記録手段に記録された暗証コードとが一致する場合に警戒リセット信号を出力する。このため、暗証コードを知り得ない第三者は、不正行為により建物の開閉体から建物内に侵入しても、モニタ装置のモードを警戒モードから監視モードへ切り換えることができず、警報を停止させることができない。従って、建物のセキュリティレベルを一層向上させることができる。
【００１１】
請求項３に記載の発明によれば、モニタ側制御手段は、センサ装置から警戒リセット信号が入力され、且つモニタ側操作手段が操作されたことを条件として警戒モードから監視モードへ切り換わる。すなわち、モニタ装置は、センサ装置の第２操作手段とモニタ側操作手段とを操作するといった複雑な操作がなされたことを条件として警戒モードから監視モードへ切り換わる。このため、第三者は、モニタ装置のモードを監視モードに切り換えることができない。従って、建物のセキュリティレベルを向上させることができる。しかも、第２操作手段から暗証コードを入力した場合にセンサ装置が警戒リセット信号を出力するようにすれば、建物のセキュリティレベルを一層向上させることができる。
【発明の効果】
【００１２】
本発明によれば、建物のセキュリティレベルを向上させることができるセキュリティシステムを提供できる。
【発明を実施するための最良の形態】
【００１３】
以下、本発明を住宅用セキュリティシステムとして具体化した一実施形態を図１〜図１１に基づき詳細に説明する。
図１に示すように、住宅１は、開閉体としての、玄関ドア２、窓３及び窓４（本実施形態では共に引き違い式窓）、及び勝手口ドア５を備えている。玄関ドア２にはセンサ装置としてのドアセンサ装置１０が配設され、窓３にはセンサ装置としての第１窓センサ装置２０が配設されている。また、窓４にはセンサ装置としての第２窓センサ装置３０が配設され、勝手口ドア５にはセンサ装置としての勝手口センサ装置４０が配設されている。これらセンサ装置１０，２０，３０，４０は、住宅１の屋内に設けられたモニタ装置５０と通信可能となっている。本実施形態においては、センサ装置１０，２０，３０，４０と、モニタ装置５０とによってセキュリティシステム１００が構成されている。
【００１４】
ドアセンサ装置１０と勝手口センサ装置４０とは同一の機能を有し、第１窓センサ装置２０と第２窓センサ装置３０とは同一の機能を有する。そのため、以下、ドアセンサ装置１０、第1窓センサ装置２０及びモニタ装置５０について詳細に説明し、勝手口センサ装置４０及び第２窓センサ装置３０については、その説明を省略する。
【００１５】
図３に示すように、第１窓センサ装置２０は、電池２１、窓センサ側マイクロコンピュータ（窓センサ側マイコン）２２、窓センサ側送信回路２３、及び窓側リードスイッチ２４を備えている。
【００１６】
電池２１は、窓センサ側マイコン２２及び窓センサ側送信回路２３に対して電力を供給する。なお、家庭用電源であるＡＣ１００Ｖ電源を降圧して、窓センサ側マイコン２２及び窓センサ側送信回路２３に対して電力を供給するようにしてもよい。
【００１７】
窓側リードスイッチ２４は、窓３の図示しないクレセント錠の操作ノブに内蔵されたマグネットの磁界によって窓３の開閉状態を検出する。窓側リードスイッチ２４は、窓３が閉まっている場合にオン状態となり、窓３が開いている場合にオフ状態となる。
【００１８】
窓センサ側送信回路２３は、窓側アンテナ２３ａを備え、窓センサ側マイコン２２から入力された第１ＩＤ信号を変調して送信する。
窓センサ側マイコン２２は、図示しないＣＰＵ及びＲＯＭを備えている。ＲＯＭには、第１窓センサ装置２０に固有の窓ＩＤコードが記録されている。窓センサ側マイコン２２は、窓側リードスイッチ２４のオン・オフ状態を監視し、オン状態からオフ状態に変化した場合に窓ＩＤコード及び開コードを含む第１ＩＤ信号を、オフ状態からオン状態に変化した場合には窓ＩＤコード及び閉コードを含む第１ＩＤ信号を窓センサ側送信回路２３に出力する。また、窓センサ側マイコン２２は、第１ＩＤ信号を送信した後、所定時間（例えば２分）が経過する毎に窓側リードスイッチ２４のオン・オフ状態を検出して、閉コードまたは開コードを含む第１ＩＤ信号を窓センサ側送信回路２３に出力する。
【００１９】
図２に示すように、玄関ドア２の側面２ｂと対向する屋内側壁１ａには、屋内側壁１ａと玄関ドア２との境界近傍にマグネット１ｂが設けられている。一方、玄関ドア２の屋内側にはドアハンドル２ａが設けられており、このドアハンドル２ａの近傍でマグネット１ｂと対向する位置には、ドアセンサ装置１０が設けられている。このように配置されることにより、ドアセンサ装置１０は、玄関ドア２が閉じられた際にマグネット１ｂと近接し、玄関ドア２が開かれた際にはマグネット１ｂと離間する。
【００２０】
玄関ドア２には、ドア錠機構１０１，１０２及びラッチ駆動部１０３が配設されている。玄関ドア２の側面２ｂには、各ドア錠機構１０１，１０２によって出没するロックバー１０１ａ，１０２ａがそれぞれ設けられている。また、玄関ドア２の屋内側面には、ドア錠機構１０１，１０２を手動で施解錠可能な手動ロック手段１０１ｂ，１０２ｂが設けられている。これら手動ロック手段１０１ｂ，１０２ｂは、一般的な屋内側施解錠用つまみ（サムターン）である。
【００２１】
また、ドア錠機構１０１，１０２は、玄関ドア２の屋外側にそれぞれ設けられたキーシリンダ部（図示せず）と機械的に連結されており、キーシリンダ部に挿入されたメカキーの回動操作に連動して玄関ドア２の側面２ｂからロックバー１０１ａ，１０２ａを突出または没入させる。詳しくは、挿入されたメカキーが施錠位置から解錠位置に回動されると、ロックバー１０１ａ，１０２ａは玄関ドア２の側面２ｂから没入し、メカキーが解錠位置から施錠位置に回動されると、ロックバー１０１ａ、１０２ａは玄関ドア２の側面２ｂから突出するようになっている。このため、メカキーをキーシリンダに挿入して、施錠位置から解錠位置に回動すると玄関ドアが解錠され、これとは反対に解錠位置から施錠位置に回動すると玄関ドアが施錠される。
【００２２】
ラッチ駆動部１０３は、玄関ドア２内におけるドア錠機構１０１とドア錠機構１０２との間に配設されている。玄関ドア２の側面２ｂには、ラッチ部１０３ａが突設されている。そして、ラッチ駆動部１０３は、ドアハンドル２ａが操作されたときにラッチ部１０３ａを没入させる。すなわち、ドア錠機構１０１，１０２によって玄関ドア２が解錠された状態において、ドアハンドル２ａが操作されたときに玄関ドア２を開くことができるようになっている。
【００２３】
図３に示すように、ドアセンサ装置１０は、ドア側表示部１１、第１操作手段としての追加警戒モードセットスイッチ（追加警戒モードセットＳＷ）１２、及び第２操作手段としての暗証コード入力部１３を備えている。また、ドアセンサ装置１０は、電池１４、センサ側制御手段としてのドアセンサ側マイクロコンピュータ（ドアセンサ側マイコン）１５、ドアセンサ側送信回路１６、及びドア側リードスイッチ１７を備えている。
【００２４】
図４に併せ示すように、ドア側表示部１１、追加警戒モードセットＳＷ１２、及び暗証コード入力部１３は、ドアセンサ装置１０の表面にそれぞれ設けられている。また、電池１４は、ドアセンサ装置１０に内蔵されている。本実施形態においてドア側表示部１１はＬＥＤにより構成され、追加警戒モードセットＳＷ１２はプッシュスイッチにより構成されている。暗証コード入力部１３は、「Ａ」、「Ｂ」、「Ｃ」の３つのプッシュスイッチにより構成されている。
【００２５】
ドア側表示部１１は、ドアセンサ側マイコン１５から入力される点灯信号に基づいて点灯する。暗証コード入力部１３は、ドアセンサ側マイコン１５と接続されており、３つのスイッチの押圧操作により入力されたコードをドアセンサ側マイコン１５に出力する。電池１４は、ドアセンサ側マイコン１５及びドアセンサ側送信回路１６に対して電力を供給する。なお、第１窓センサ装置２０と同様に、家庭用電源であるＡＣ１００Ｖ電源を降圧して、ドアセンサ側マイコン１５及びドアセンサ側送信回路１６に対して電力を供給するようにしてもよい。
【００２６】
ドア側リードスイッチ１７は、住宅１に設けられたマグネット１ｂから受ける磁界の変化によって玄関ドア２の開閉状態を検出し、玄関ドア２が閉まっている場合にオン状態となり、玄関ドア２が開いている場合にオフ状態となる。
【００２７】
ドアセンサ側送信回路１６は、ドア側アンテナ１６ａを備え、ドアセンサ側マイコン１５から入力された第２ＩＤ信号を変調して送信する。
ドアセンサ側マイコン１５は、図示しないＣＰＵ、タイマ、及び記録手段としてのＲＯＭ１５ａを備えている。ＲＯＭ１５ａには、ドアセンサ装置１０に固有の玄関ＩＤコードとユーザが設定した暗証コードとが記録されている。
【００２８】
ドアセンサ側マイコン１５には、ドア側リードスイッチ１７が接続されている。ドアセンサ側マイコン１５は、ドア側リードスイッチ１７のオン・オフ状態を監視し、オン状態からオフ状態に変化した場合には玄関ＩＤコード及び開コードを含む第２ＩＤ信号を、オフ状態からオン状態に変化した場合には玄関ＩＤコード及び閉コードを含む第２ＩＤ信号をドアセンサ側送信回路１６に出力する。また、ドアセンサ側マイコン１５は、ドア側リードスイッチ１７のオン・オフ状態の変化を検出していない状態にあっては、所定時間（例えば、２分）毎に第２ＩＤ信号をドアセンサ側送信回路１６に出力する。つまり、ドアセンサ側マイコン１５は、玄関ドア２の開閉状態に変化がない状態にあっては該所定時間毎に第２ＩＤ信号を出力し、玄関ドア２の開閉状態に変化があった際には該所定時間に拘わらず第２ＩＤ信号を出力する。
【００２９】
図６（ａ）に示すように、ドアセンサ側マイコン１５は、追加警戒モードセットＳＷ１２が押圧操作されると（ポイントＰ１）、ドア側表示部１１に点灯信号を出力して通常モードから玄関警戒モードに切り換わる（ポイントＰ２）。そして、ドアセンサ側マイコン１５は、玄関ＩＤコード及び追加警戒モードセットコードを含む警戒セット信号をドアセンサ側送信回路１６に出力する（ポイントＰ３）。
【００３０】
玄関警戒モードに切り換わると、ドアセンサ側マイコン１５は、追加警戒モードセットＳＷ１２が押圧操作されてからの経過時間をタイマによって計時し、追加警戒モードセットＳＷ１２が押圧操作されてからの経過時間が予め設定された期間ΔＴ１（本実施形態では１５秒間）内にあっては、第２ＩＤ信号の出力を禁止する。このため、ドアセンサ側マイコン１５は、玄関警戒モードに切り換わった直後の期間ΔＴ１内に玄関ドア２が開閉されても（ポイントＰ４）、第２ＩＤ信号をドアセンサ側送信回路１６に出力しない。よって、例えば家人（ユーザ）の外出時など、追加警戒モードセットＳＷ１２が押圧操作された直後に玄関ドア２が開閉された場合には、ドアセンサ側マイコン１５は、第２ＩＤ信号をドアセンサ側送信回路１６に出力しない。
【００３１】
また、ドアセンサ側マイコン１５は、前記期間ΔＴ１の経過後に、玄関ドア２が開けられたことを検知した場合（ポイントＰ５）、玄関ドア２が開けられてからの経過時間をタイマにより計時する。そして、ドアセンサ側マイコン１５は、予め設定された期間ΔＴ２（本実施形態では１５秒間）を経過した時点で、開コードを含む第２ＩＤ信号を出力する（ポイントＰ６）。
【００３２】
一方、図６（ｂ）に示すように、ドアセンサ側マイコン１５は、前記期間ΔＴ１の経過後に、玄関ドア２が開けられ（ポイントＰ５）、その後、期間ΔＴ２内に暗証コード入力部１３からコード（本実施形態では、暗証コード入力部１３の操作態様）が入力された場合、入力されたコードとＲＯＭ１５ａに記録された暗証コードとを照合する。両コードが一致した場合（ポイントＰ１０）、ドアセンサ側マイコン１５は、玄関警戒モードから通常モードに切り換わり（ポイントＰ１１）、玄関ＩＤコード及び追加警戒モードリセットコードを含む警戒リセット信号をドアセンサ側送信回路１６に出力する（ポイントＰ１２）。
【００３３】
すなわち、ドアセンサ側マイコン１５は、期間ΔＴ１の経過後に玄関ドア２が開けられると、その後の期間ΔＴ２内に前記暗証コードの照合が成立した場合には、ユーザによる操作であると判断して通常モードに切り換わるとともに、警戒リセット信号を出力する。これに対し、ドアセンサ側マイコン１５は、該暗証コードが入力されない場合や該暗証コードの照合が成立しない場合には、第三者による不法侵入の疑いがあるため、玄関警戒モードが維持されるとともに、警戒リセット信号も出力しない。
【００３４】
モニタ装置５０は、屋内側壁の玄関ドア２の近傍に設置されている。モニタ装置５０は、図３に示すように、電源回路５１、バックアップ電池５２、受信回路５３、モニタ側制御手段としてのモニタ側マイクロコンピュータ（モニタ側マイコン）５４、及びインタフェース部５５を備えている。
【００３５】
電源回路５１には、家庭用電源であるＡＣ１００Ｖ電源及びバックアップ電池５２が接続されている。電源回路５１は、図示しない降圧回路を備え、入力されたＡＣ１００Ｖの電圧を降圧して受信回路５３及びモニタ側マイコン５４に電力を供給する。また、電源回路５１は、ＡＣ１００Ｖ電源の電圧降下から停電を検知した場合には、受信回路５３及びモニタ側マイコン５４にバックアップ電池５２から電力を供給するようになっている。
【００３６】
受信回路５３は、受信アンテナ５３ａを備え、第１窓センサ装置２０から送信された第１ＩＤ信号及びドアセンサ装置１０から送信された第２ＩＤ信号、警戒セット信号、及び警戒リセット信号を受信アンテナ５３ａを介して受信する。受信回路５３は、これら受信した各信号を復調してモニタ側マイコン５４に出力する。
【００３７】
インタフェース部５５は、図２に併せ示すように、モニタ側操作手段としてのモード切換スイッチ５６、モニタ側表示部５７、警報ブザー５８、及びモード表示部５９を備えている。これらモード切換スイッチ５６、モニタ側表示部５７、警報ブザー５８、及びモード表示部５９は、モニタ装置５０の表面にそれぞれ設けられている。モード切換スイッチ５６は、押圧操作されると、その操作信号をモニタ側マイコン５４に出力する。
【００３８】
モニタ側表示部５７は、本実施形態においては、複数のＬＥＤにより構成されている。各ＬＥＤには、その近傍に各ＬＥＤの示す警戒対象（玄関ドア２や窓３等）がラベルによって表示されている。詳しくは、図５に示すように、本実施形態におけるモニタ側表示部５７は、玄関警戒ＬＥＤ５７ａ及び窓警戒ＬＥＤ５７ｂを備え、玄関警戒ＬＥＤ５７ａの下方には「玄関」の表示が、窓警戒ＬＥＤ５７ｂの下方には「窓１」の表示がされている。また、玄関警戒ＬＥＤ５７ａ及び窓警戒ＬＥＤ５７ｂは、モニタ側マイコン５４からの指示に基づいて赤色または緑色に発光する。
【００３９】
警報ブザー５８は、モニタ側マイコン５４から警報信号が入力された場合に鳴動する。モード表示部５９は、在宅モードＬＥＤ、在宅警戒モードＬＥＤ、及び外出警戒モードＬＥＤ（いずれも図示せず）により構成される。これらＬＥＤは、モニタ側マイコン５４からの指示に基づいて点灯する。
【００４０】
モニタ側マイコン５４は、図示しないＣＰＵを備えている。本実施形態においてモニタ側マイコン５４は、３種類の警戒モード（在宅警戒モード、外出警戒モード、追加警戒モード）を有している。モニタ側マイコン５４は、モード切換スイッチ５６が操作されると、在宅モード（監視モード）、在宅警戒モード、及び外出警戒モードのいずれかのモードに切り換わる。詳しくは、図７に示すように、在宅モードＭ１においてモード切換スイッチ５６が押圧操作された場合、モニタ側マイコン５４は、モード表示部５９の在宅警戒モードＬＥＤを点灯させるとともに在宅警戒モードＭ２に切り換わる。また、モニタ側マイコン５４は、在宅警戒モードＭ２においてモード切換スイッチ５６が押圧操作された場合には、モニタ側表示部５７の外出警戒モードＬＥＤを点灯させるとともに外出警戒モードＭ３に切り換わる。そして、モニタ側マイコン５４は、外出警戒モードＭ３においてモード切換スイッチ５６が押圧操作された場合、モニタ側表示部５７の在宅モードＬＥＤを点灯させるとともに在宅モードＭ１に切り換わる。
【００４１】
さらに、モニタ側マイコン５４は、在宅警戒モードＭ２または外出警戒モードＭ３において警戒セット信号を受信した場合、追加警戒モードＭ４に切り換わる。詳しくは、モニタ側マイコン５４は、受信した信号に追加警戒モードセットコードが含まれている場合に追加警戒モードＭ４に切り換わる。そして、モニタ側マイコン５４は、在宅警戒モードＭ２から追加警戒モードＭ４に切り換わった場合には在宅警戒モードＬＥＤを点滅させ、外出警戒モードＭ３から追加警戒モードＭ４に切り換わった場合には外出警戒モードＬＥＤを点滅させる。
【００４２】
また、モニタ側マイコン５４は、追加警戒モードＭ４において警戒リセット信号を受信した場合、追加警戒モードＭ４に切り換わる前のモードに切り換わる。詳しくは、モニタ側マイコン５４は、受信した信号に追加警戒モードリセットコードが含まれている場合、在宅警戒モードＭ２または外出警戒モードＭ３に切り換わる。より詳しくは、図８（ａ）に示すように、モニタ側マイコン５４は、在宅警戒モードＭ２において警戒セット信号を受信して追加警戒モードＭ４に切り換わった場合、警戒リセット信号を受信すると在宅警戒モードＭ２に切り換わる。一方、図８（ｂ）に示すように、外出警戒モードＭ３において警戒セット信号を受信して追加警戒モードＭ４に切り換わった場合、モニタ側マイコン５４は、警戒リセット信号を受信すると外出警戒モードＭ３に切り換わる。
【００４３】
また、モニタ側マイコン５４は、ユーザ以外の者（第三者）が住宅１に浸入する等の異常がないか否かを監視し、異常が発生した場合には警報を鳴らすセキュリティ制御を所定時間毎に行う。以下、モニタ側マイコン５４が行うセキュリティ制御について図９及び図１０に示すフローチャートに従って説明する。
【００４４】
まずモニタ側マイコン５４は、ステップ１５０において、玄関ドア２の開閉状態及び窓３の施解錠状態を監視する監視処理を行う。詳しくは、モニタ側マイコン５４は、第１窓センサ装置２０から送信された第１ＩＤ信号及びドアセンサ装置１０から送信された第２ＩＤ信号を受信した場合、各ＩＤ信号に含まれる開コードまたは閉コードに基づいてモニタ側表示部５７を作動させる。モニタ側マイコン５４は、受信した第１ＩＤ信号に閉コードが含まれている場合、窓警戒ＬＥＤ５７ｂを緑色に点灯させ、受信した第１ＩＤ信号に開コードが含まれている場合には窓警戒ＬＥＤ５７ｂを赤色に点灯させる。また、モニタ側マイコン５４は、受信した第２ＩＤ信号に閉コードが含まれている場合、玄関警戒ＬＥＤ５７ａを緑色に点灯させ、受信した第２ＩＤ信号に開コードが含まれている場合には玄関警戒ＬＥＤ５７ａを赤色に点灯させる。つまり、モニタ装置５０は、前記４種類のモード（在宅モードＭ１と前記３種類の警戒モードＭ２〜Ｍ４）において、第１窓センサ装置２０と対応する窓３の施解錠状態、及びドアセンサ装置１０と対応する玄関ドア２の開閉状態を監視し、それら状態をモニタ側表示部５７の窓警戒ＬＥＤ５７ｂ及び玄関警戒ＬＥＤ５７ａの点灯色によって報知する。
【００４５】
ステップ１５１においてモニタ側マイコン５４は、モード切換スイッチ５６の操作を受け付けるか否かを示すフラグ（モードＦＧ）の値が「０」であるか否かを判断する。本実施形態においてモニタ側マイコン５４は、モードＦＧの値が「０」の場合にはモード切換スイッチ５６の操作を受け付け（モード切換スイッチ５６の操作を有効にする）、モードＦＧの値が「１」の場合にはモード切換スイッチ５６の操作を受け付けない（モード切換スイッチ５６の操作を無効にする）ようになっている。モニタ側マイコン５４は、モードＦＧの値が「０」であると判断した場合、モード切換スイッチ５６の操作を有効にし、ステップ１５２に移行する。ステップ１５２においてモニタ側マイコン５４は、在宅モードＭ１にセットされているか否かを判断する。
【００４６】
在宅モードＭ１にセットされていると判断した場合、モニタ側マイコン５４はステップ１５３に移行して警報信号の出力を禁止する。すなわち、モニタ側マイコン５４は、在宅モードにおいて警報信号を出力しない。よって、在宅モードでは、玄関ドア２が開けられたり窓３が解錠されたりしても、警報ブザー５８は鳴動しない。ステップ１５３の処理を完了すると、モニタ側マイコン５４は処理を一旦終了する。
【００４７】
一方、ステップ１５２において、在宅モードＭ１にセットされていないと判断した場合、モニタ側マイコン５４はステップ１５４に移行して、在宅警戒モードＭ２にセットされているか否かを判断する。在宅警戒モードＭ２にセットされていると判断した場合、ステップ１５５においてモニタ側マイコン５４は、開コードを受信したか否か、すなわち第１ＩＤ信号または第２ＩＤ信号に開コードが含まれているか否かを判断する。そして、モニタ側マイコン５４は、第１ＩＤ信号または第２ＩＤ信号に開コードが含まれていないと判断した場合には処理を一旦終了し、第１ＩＤ信号または第２ＩＤ信号に開コードが含まれていると判断した場合には、ステップ１５６において警報信号を出力する。
【００４８】
詳しくは、モニタ側マイコン５４は、第１ＩＤ信号に開コードが含まれている場合にはモニタ側表示部５７の窓警戒ＬＥＤ５７ｂを赤色に点灯させるとともに、警報ブザー５８に警報信号を出力する。また、モニタ側マイコン５４は、第２ＩＤ信号に開コードが含まれている場合にはモニタ側表示部５７の玄関警戒ＬＥＤ５７ａを赤色に点灯させるとともに、警報ブザー５８に警報信号を出力する。つまり、玄関ドア２が閉状態から開状態に変化すると、モニタ側表示部５７の玄関警戒ＬＥＤ５７ａが緑色点灯から赤色点灯に変わって警報ブザー５８が鳴動し、窓３が閉状態から開状態に変化すると、モニタ側表示部５７の窓警戒ＬＥＤ５７ｂが緑色点灯から赤色点灯に変わって警報ブザー５８が鳴動する。
【００４９】
続くステップ１５７においてモニタ側マイコン５４は、警報信号を警報期間（例えば３０秒間）にわたって出力した否かを判断する。そして、モニタ側マイコン５４は、警報信号を警報期間にわたって出力していないと判断した場合には警報信号を出力した状態で処理を一旦終了し、警報信号を警報期間にわたって出力したと判断した場合には、ステップ１５８において警報信号の出力を停止して処理を一旦終了する。なお、モニタ側マイコン５４は、警報信号を出力しているとき、つまり警報ブザー５８が鳴動しているときにモード切換スイッチ５６が操作されて在宅モードＭ１に切り換わった場合、ステップ１５３の処理を実行する。ステップ１５３においては警報信号の出力が禁止されているため、モニタ側マイコン５４は警報信号の出力を停止して警報ブザー５８の鳴動を停止させる。
【００５０】
ところで、ステップ１５４において在宅警戒モードＭ２にセットされていないと判断した場合、モニタ側マイコン５４は、ステップ１５９において外出警戒モードＭ３にセットされているか否かを判断する。外出警戒モードＭ３にセットされていると判断した場合、ステップ１６０においてモニタ側マイコン５４は、開コードを受信したか否かを判断する。そして、モニタ側マイコン５４は、開コードを受信していないと判断した場合には処理を一旦終了し、開コードを受信したと判断した場合、ステップ１６１において警報信号を出力する。
【００５１】
ステップ１６２においてモニタ側マイコン５４は、警報信号を出力してから警報期間が経過したか否かを判断する。モニタ側マイコン５４は、警報信号を出力してから警報期間が経過していないと判断した場合、次のステップ１６３の処理には移行しないで警報信号を出力し続ける。このため、警報信号が警報期間にわたって出力されるまで、つまり警報ブザー５８が警報期間にわたって鳴動するまで、モード切換スイッチ５６を操作してもモニタ装置５０のモードは切り換わらない。一方、警報信号を出力してから警報期間が経過したと判断した場合、モニタ側マイコン５４は、ステップ１６３において警報信号の出力を停止して処理を一旦終了する。
【００５２】
ところで、ステップ１５１においてモードＦＧの値が「０」でないと判断した場合、または、ステップ１５９において外出警戒モードＭ３にセットされていないと判断した場合、モニタ側マイコン５４は、図１０に示すステップ１６４に移行して追加警戒モードＭ４にセットされているか否かを判断する。そして、モニタ側マイコン５４は、追加警戒モードＭ４にセットされていないと判断した場合には処理を一旦終了し、追加警戒モードＭ４にセットされていると判断した場合には、ステップ１６５においてモードＦＧに「１」を設定する。よって、モード切換スイッチ５６の操作が無効となる。
【００５３】
ステップ１６６においてモニタ側マイコン５４は、警戒リセット信号を受信したか否かを判断する。そして、モニタ側マイコン５４は、警戒リセット信号を受信していないと判断した場合にはステップ１６８の処理に移行し、警戒リセット信号を受信したと判断した場合には、ステップ１６７においてモードＦＧに「０」を設定した後にステップ１６８の処理に移行する。つまり、ステップ１６７においてモードＦＧが「０」に設定されることにより、モード切換スイッチ５６の操作が有効となる。
【００５４】
ステップ１６８においてモニタ側マイコン５４は、開コードを受信したか否かを判断する。モニタ側マイコン５４は、開コードを受信していないと判断した場合には処理を一旦終了し、開コードを受信したと判断した場合には、ステップ１６９において警報信号を出力する。
【００５５】
ステップ１７０においてモニタ側マイコン５４は、警報信号を出力してから警報期間が経過したか否かを判断する。モニタ側マイコン５４は、警報信号を出力してから警報期間が経過していないと判断した場合、次のステップ１７１の処理には移行しないで警報信号を出力し続ける。一方、警報信号を出力してから警報期間が経過したと判断した場合、モニタ側マイコン５４は、ステップ１７１において警報信号の出力を停止して処理を一旦終了する。
【００５６】
以上のように構成されたセキュリティシステム１００の動作態様例について、図１１に基づいて説明する。なお、ここでは、ドアセンサ装置１０とモニタ装置５０との間で行われる処理の流れについて詳細に説明する。
【００５７】
＜外出時＞
モニタ装置５０は、モード切換スイッチ５６が押圧操作されると、在宅警戒モードＭ２または外出警戒モードＭ３に切り換わる（ステップ２００）。このように、モニタ装置５０は、在宅警戒モードＭ２または外出警戒モードＭ３に切り換わることにより、追加警戒モードＭ４に切り換わることが可能となる。
【００５８】
ドアセンサ装置１０は、追加警戒モードセットＳＷ１２が押圧操作されると（ステップ２０１）、押圧操作されてからの経過時間をタイマによって計時するとともに、ステップ２０２において警戒セット信号を出力する。また、ドアセンサ装置１０は、ステップ２０３においてドア側表示部１１を作動させ、玄関警戒モードに切り換わった旨を報知する。
【００５９】
警戒セット信号を受信したモニタ装置５０は、在宅警戒モードＭ２または外出警戒モードＭ３から追加警戒モードＭ４に切り換わる（ステップ２０４）。モニタ装置５０は、ステップ２０５においてモード表示部５９を作動させ、追加警戒モードＭ４に切り換わった旨を報知する。
【００６０】
ドアセンサ装置１０は、追加警戒モードセットＳＷ１２が押圧操作されてからの経過時間が期間ΔＴ１内にあっては、第２ＩＤ信号の出力を禁止する。このため、例えばステップ２０６で示すように、期間ΔＴ１内に玄関ドア２が開閉されたとしても、ドアセンサ装置１０は第２ＩＤ信号を送信しない。よって、ユーザは、追加警戒モードセットＳＷ１２を押圧操作してから期間ΔＴ１以内に玄関ドア２を開閉して屋外に出ることにより、玄関ドア２を開閉した際に警報ブザー５８が鳴動するといった煩わしさから開放される。
【００６１】
＜第三者の不法侵入持＞
ドアセンサ装置１０は、期間ΔＴ１経過後に玄関ドア２が開かれた場合（ステップ２０７）、玄関ドア２が開かれてから期間ΔＴ２が経過した時点で開コードを含む第２ＩＤ信号を送信する（ステップ２０８）。
【００６２】
モニタ装置５０は、その第２ＩＤ信号を受信すると、警報ブザー５８を警報期間にわたって鳴動させる（ステップ２０９）。よって、第三者が不正行為により玄関ドア２から屋内に侵入した場合、玄関ドア２を開いてから期間ΔＴ２が経過した時点で警報ブザー５８が鳴動する。しかも、追加警戒モードＭ４においてはモード切換スイッチ５６の操作が無効となるため、モード切換スイッチ５６を押圧操作したとしても、警報ブザー５８の鳴動を停止させることはできない。よって、第三者がモード切換スイッチ５６を操作して警報ブザー５８の鳴動を停止することを防止できる。
【００６３】
＜帰宅時＞
一方、ドアセンサ装置１０は、期間ΔＴ１経過後に玄関ドア２が開かれ（ステップ２１０）、玄関ドア２が開かれてから期間ΔＴ２以内に暗証コードが入力されたると（ステップ２１１）、ステップ２１１において警戒リセット信号を送信する（ステップ２１２）。
【００６４】
警戒リセット信号を受信したモニタ装置５０は、追加警戒モードＭ４に切り換わる前のモードである在宅警戒モードＭ２または外出警戒モードＭ３に切り換わる（ステップ２１３）。この在宅警戒モードＭ２または外出警戒モードＭ３ではモニタ装置５０のモードの切り換えが可能となるため、ユーザは、モード切換スイッチ５６を押圧操作することによって在宅モードＭ１に切り換えることができる。それゆえ、ユーザが帰宅して玄関ドア２を開閉した場合には、暗証コードの入力及びモード切換スイッチ５６の押圧操作により、警報ブザー５８の鳴動を禁止または停止させることができる。
【００６５】
従って、本実施形態によれば以下のような効果を得ることができる。
（１）ドアセンサ装置１０は、追加警戒モードセットＳＷ１２が押圧操作されると警戒セット信号を出力する。警戒セット信号を受信したモニタ側マイコン５４は、追加警戒モードＭ４に切り換わる。追加警戒モードＭ４においてモニタ側マイコン５４は、モード切換スイッチ５６の操作を無効にして、追加警戒モードＭ４から在宅警戒モードＭ２等の他のモードへの切り換えを不可とする。つまり、モード切換スイッチ５６を押圧操作しても、警報ブザー５８を鳴動させない在宅モードＭ１へ切り換えることはできない。すなわち、警報ブザー５８が鳴動した場合、第三者は警報ブザー５８の鳴動を停止させることはできない。従って、建物のセキュリティレベルを向上させることができる。
【００６６】
（２）ドアセンサ装置１０は、暗証コード入力部１３から入力されたコードとＲＯＭ１５ａに記録された暗証コードとが等しい場合に警戒リセット信号を出力する。このため、暗証コードを知り得ない第三者は、不正行為により玄関ドア２から屋内に侵入しても、モニタ装置５０のモードを追加警戒モードＭ４から在宅モードＭ１へ切り換えることができず、警報ブザー５８が鳴動した場合には該警報ブザー５８の鳴動を停止させることができない。従って、建物のセキュリティレベルを一層向上させることができる。
【００６７】
（３）ドアセンサ装置１０は、暗証コード入力部１３から入力されたコードとＲＯＭ１５ａに記録された暗証コードとが等しい場合に警戒リセット信号を出力する。警戒リセット信号を受信したモニタ側マイコン５４は、モードＦＧを「０」に設定してモード切換スイッチ５６の操作を有効にする。そして、モニタ側マイコン５４は、モード切換スイッチ５６が有効な状態でモード切換スイッチ５６が押圧操作された場合に在宅モードＭ１へ切り換わる。このように、モニタ側マイコン５４は、ドアセンサ装置１０から出力された警戒リセット信号の受信とモード切換スイッチ５６の操作とに基づいて追加警戒モードＭ４から在宅モードＭ１へ切り換わる。つまり、モニタ装置５０は、ドアセンサ装置１０の暗証コード入力部１３とモード切換スイッチ５６とを操作するといった複雑な操作がなされたことを条件として追加警戒モードＭ４から在宅モードＭ１へ切り換わる。従って、第三者はモニタ装置５０のモードを在宅モードＭ１へ切り換えることができず、建物のセキュリティレベルを向上させることができる。
【００６８】
（４）暗証コード入力部１３は、「Ａ」、「Ｂ」、「Ｃ」の３つのプッシュスイッチによって構成されている。そして、暗証コードは、これら３つのプッシュスイッチの操作態様によって設定される。このため、追加警戒モードＭ４を在宅警戒モードＭ２または外出警戒モードＭ３に切り換えるための暗証コードを簡単に覚えることができるとともに、ユーザによる暗証コードの入力ミスを抑制することができる。従って、セキュリティシステムを使用する際の負担を軽減でき、セキュリティシステムの利便性を向上させることができる。
【００６９】
（５）追加警戒モードＭ４から在宅モードＭ１に切り換えるには、暗証コード入力部１３から暗証コードを入力して在宅警戒モードＭ２または外出警戒モードＭ３に切り換え、さらにモード切換スイッチ５６を操作する。このように、暗証コード入力部１３及びモード切換スイッチ５６の操作によって在宅モードＭ１に切り換えることができるため、在宅モードＭ１に切り換えるための専用の電子キーは不要である。よって、外出時等における所持品の数を抑制できる。また、電子キーの盗難による住宅１内への不法浸入を防止できる。従って、セキュリティシステムの利便性を向上させることができるとともに、建物のセキュリティレベルを向上させることができる。
【００７０】
（６）ドアセンサ装置１０は、追加警戒モードセットＳＷ１２が押圧操作されてからの経過時間が期間ΔＴ１内にあっては、第２ＩＤ信号の出力を禁止する。このため、ユーザは、追加警戒モードセットＳＷ１２を押圧操作してから期間ΔＴ１以内に玄関ドア２を開閉することにより、警報ブザー５８を鳴動させることなく屋外へ出ることができる。従って、セキュリティシステムの利便性を向上させることができる。
【００７１】
（７）ドアセンサ装置１０は、期間ΔＴ１の経過後に玄関ドア２が開けられ、その後、期間ΔＴ２内に暗証コードが入力されない場合、開コードを含む第２ＩＤ信号を送信する。このため、モニタ装置５０は、確実に警報ブザー５８を鳴動させて第三者の侵入を周囲に報知することができる。しかも、第三者が住宅１への侵入時に玄関ドア２を閉めたとしても、侵入時に一度でも玄関ドア２が開けられると、玄関ドア２を開けてから期間ΔＴ２の経過後に警報ブザー５８が鳴動する。従って、建物のセキュリティレベルを一層向上させることができる。
【００７２】
（８）ドアセンサ装置１０は、第２ＩＤ信号、警戒セット信号、及び警戒リセット信号の出力の制御を行う。モニタ装置５０は、ドアセンサ装置１０から送信された信号に基づいてセキュリティ制御を行う。このように、モニタ装置５０が行うセキュリティ制御に必要な信号の殆どが、ドアセンサ装置１０において生成される。このため、第１窓センサ装置２０、第２窓センサ装置３０、及びモニタ装置５０で構成される従来のセキュリティシステム（窓の施解錠状態のみを監視する従来の施解錠状態監視装置に相当する）をドアセンサ装置１０及び勝手口センサ装置４０を備えたセキュリティシステム１００に容易に拡張することができる。詳しくは、玄関ドア２にドアセンサ装置１０を配設し、勝手口ドア５に勝手口センサ装置４０を配設し、そしてモニタ側マイコン５４のプログラムに警戒セット信号及び警戒リセット信号に基づいた処理を行うためのプログラムを追加するといった小変更のみで従来のセキュリティシステムをセキュリティシステム１００に拡張することができる。よって、ユーザのニーズに合わせて従来のセキュリティシステムとセキュリティシステム１００とを選択でき、セキュリティシステムの利便性を向上させることができる。また、セキュリティシステムの拡張にともなうモニタ装置５０の変更がモニタ側マイコン５４のプログラムの小変更で済むため、セキュリティシステム１００の設計コストや製造コストを抑制することができる。
【００７３】
なお、本発明の実施形態は以下のように変更してもよい。
・前記実施形態において、玄関警戒モードに切り換わったドアセンサ側マイコン１５は、暗証コード入力部１３から入力されたコードとＲＯＭ１５ａに記録された暗証コードとが一致した場合に警戒リセット信号を出力する。しかし、ドアセンサ側マイコン１５が警戒リセット信号を出力する条件は、暗証コード入力部１３から入力されたコードとＲＯＭ１５ａに記録された暗証コードとが一致した場合に限定されない。例えば、ドアセンサ装置１０は生体認証入力部を備え、ドアセンサ側マイコン１５は、生体認証入力部から入力される生体情報（例えば指紋）とＲＯＭ１５ａに予め記録された生体情報とが一致した場合に警戒リセット信号を出力するように変更されてもよい。このようにすれば、ユーザは暗証コードを覚える必要がないため、セキュリティシステムの利便性が一層向上する。
【００７４】
・前記実施形態におけるモニタ装置５０は、在宅警戒モードＭ２または外出警戒モードＭ３において警戒セット信号を受信した場合に追加警戒モードＭ４に切り換わる。しかし、モニタ装置５０は、在宅モードＭ１において警戒セット信号を受信した場合にも追加警戒モードＭ４に切り換わるように変更されてもよい。このようにすれば、外出時にドアセンサ装置１０の追加警戒モードセットＳＷ１２を操作するのみでモニタ装置５０を在宅モードＭ１から追加警戒モードＭ４に切り換えることができる。従って、モニタ装置５０を在宅モードＭ１から追加警戒モードＭ４に切り換えるための操作が簡単になり、セキュリティシステムの利便性を向上させることができる。また、この場合、ドアセンサ装置１０は、ＲＯＭ１５ａに玄関警戒モードに移行するためのセットコードを記録するようにしてもよい。そして、ドアセンサ装置１０は、暗証コード入力部１３から入力されたコードとＲＯＭ１５ａに記録されたセットコードとが一致した場合に、玄関警戒モードに切り換わるように変更されてもよい。このようにすれば、ユーザが意図しない操作（例えば、子供による追加警戒モードセットＳＷ１２や暗証コード入力部１３の押圧操作）によってモニタ装置５０が追加警戒モードＭ４に切り換わることを抑止することができる。
【００７５】
・前記実施形態において、追加警戒モードＭ４に移行したモニタ装置５０は、警戒リセット信号を受信した場合、追加警戒モードＭ４に切り換わる前のモードに切り換わる。しかし、モニタ装置５０は、受信した警戒リセット信号に含まれるコードに基づいて切り換わる先を選択するように変更されてもよい。詳しくは、ドアセンサ側マイコン１５のＲＯＭ１５ａには、追加警戒モードＭ４に切り換わる前のモードにモニタ装置５０が切り換わるための第１暗証コードとモニタ装置５０が在宅モードＭ１に切り換わるための第２暗証コードとが記録される。ドアセンサ装置１０は、暗証コード入力部１３から入力されたコードが第１暗証コードと一致する場合、玄関ＩＤコード及び第１リセットコードを含む警戒リセット信号を送信するように変更される。また、ドアセンサ装置１０は、暗証コード入力部１３から入力されたコードが第２暗証コードと一致する場合、玄関ＩＤコード及び第２リセットコードを含む警戒リセット信号を送信するように変更される。
【００７６】
このように変更した場合、モニタ装置５０は、図１２（ａ）に示すように、在宅警戒モードＭ２から追加警戒モードＭ４に切り換わって第１リセットコードを含む警戒リセット信号を受信すると、追加警戒モードＭ４から在宅警戒モードＭ２に切り換わる。また、図１２（ｂ）に示すように、外出警戒モードＭ３から追加警戒モードＭ４に切り換わって第１リセットコードを含む警戒リセット信号を受信すると、モニタ装置５０は、追加警戒モードＭ４から外出警戒モードＭ３に切り換わる。一方、図１２（ａ），（ｂ）に示すように、モニタ装置５０は、追加警戒モードＭ４において第２リセットコードを含む警戒リセット信号を受信した場合、追加警戒モードＭ４から在宅モードＭ１に切り換わる。
【００７７】
このようにすれば、例えば帰宅時に追加警戒モードＭ４から在宅モードＭ１に切り換えるための操作が簡単になる。従って、セキュリティシステムの利便性を向上させることができる。
【００７８】
・前記実施形態においてモニタ側マイコン５４は、所定時間を経過してもドアセンサ装置１０または第１窓センサ装置２０から第１ＩＤコードまたは第２ＩＤコードを受信できない場合、ドアセンサ装置１０または第１窓センサ装置２０に異常があったものとして警報ブザー５８を鳴動させるように変更されてもよい。このようにすれば、建物のセキュリティレベルを一層向上させることができる。
【００７９】
・前記実施形態においてドアセンサ側マイコン１５は、追加警戒モードセットＳＷ１２が押圧操作されてからの経過時間をタイマによって計時し、追加警戒モードセットＳＷ１２が押圧操作されてからの経過時間が期間ΔＴ１内にあっては、第２ＩＤ信号の出力を禁止する。しかし、ドアセンサ側マイコン１５は、追加警戒モードセットＳＷ１２が押圧操作され、玄関警戒モードに切り換わった場合でも、玄関ドア２が開かれた場合には第２ＩＤ信号を出力するように変更されてもよい。つまり、期間ΔＴ１は設定されなくてもよい。このようにすれば、追加警戒モードセットＳＷ１２を押圧操作して外出する際に警報ブザー５８が鳴動するため、ユーザは、モニタ装置５０が追加警戒モードＭ４に切り換わったことを警報ブザー５８の鳴動によって確認することができる。
【００８０】
・前記実施形態において、第２操作手段としての暗証コード入力部１３は、「Ａ」、「Ｂ」、「Ｃ」の３つのプッシュスイッチによって構成されている。しかし、第２操作手段は、玄関ドア２の近傍の人目につきにくい箇所に配設されたスイッチ（例えばプッシュスイッチ）でもよい。この場合、ドアセンサ側マイコン１５は、スイッチが押圧操作された場合に玄関警戒モードに切り換わるとともに警戒セット信号を送信するように変更される。このようにセキュリティシステム１００を構成しても、従来に比較して建物のセキュリティ性を向上させることができる。
【００８１】
・前記実施形態においてドアセンサ側マイコン１５は、追加警戒モードセットＳＷ１２が押圧操作されてからの経過時間をタイマによって計時し、追加警戒モードセットＳＷ１２が押圧操作されてからの経過時間が期間ΔＴ１内にあっては、第２ＩＤ信号の出力を禁止する。しかし、同様の処理をモニタ側マイコン５４で行うようにしてもよい。具体的には、モニタ側マイコン５４は、警戒セット信号を受信した場合、警戒セット信号を受信してからの経過時間が期間ΔＴ１内にあっては、開コードを含む第２ＩＤ信号を受信しても、警報ブザー５８を鳴動させないように変更されてもよい。このようにしても、ユーザは、追加警戒モードセットＳＷ１２を押圧操作してから期間ΔＴ１以内に玄関ドア２を開閉することにより、警報ブザー５８を鳴動させることなく屋外へ出ることができる。
【００８２】
また、ドアセンサ側マイコン１５は、追加警戒モードセットＳＷ１２が押圧操作されてからの経過時間を計時する必要がなくなるため、処理上の負担が軽減する。
・前記実施形態においては、暗証コード入力部１３から入力された暗証コードの照合をドアセンサ側マイコン１５が行っていたが、これに限られない。例えば、ドアセンサ側マイコン１５は、暗証コード入力部１３からコードが入力された場合、この入力コードと玄関ＩＤコードとを含む第２ＩＤ信号を出力するように変更されてもよい。また、モニタ側マイコン５４は、メモリを備え、このメモリに該暗証コードを記録するようになっていてもよい。そして、モニタ側マイコン５４は、前記期間ΔＴ１の経過後に第２ＩＤ信号に含まれる開コードから玄関ドア２が開けられたことを認識した後、期間ΔＴ２内に入力コードを含む第２ＩＤ信号を受信した場合、この入力コードとメモリに記録された暗証コードとを照合するようになっていてもよい。それとともに、両コードが一致した場合、モニタ側マイコン５４は、追加警戒モードＭ４から在宅警戒モードＭ２または外出警戒モードＭ３に切り換わるように変更されてもよい。このようにすれば、暗証コード入力部１３から入力されたコードと暗証コードとの照合をドアセンサ側マイコン１５が行う必要がないため、ドアセンサ側マイコン１５の処理上の負荷を軽減させることができる。
【００８３】
・前記実施形態においてドアセンサ側マイコン１５は、玄関警戒モードに切り換わってから期間ΔＴ１が経過した後に玄関ドア２が開けられた場合、期間ΔＴ２内に警戒リセット信号を受信したにも拘らず、該期間ΔＴ２が経過すると開コードを含む第２ＩＤ信号を出力する。しかし、ドアセンサ側マイコン１５は、期間ΔＴ２内に警戒リセット信号を受信した場合、期間ΔＴ２内に玄関ドア２が開閉されても開コードを含む第２ＩＤ信号を送信しないように変更されてもよい。このようにすれば、帰宅時に玄関ドア２を開閉したとしても、期間ΔＴ２以内に暗証コードを入力することにより、モニタ装置５０のモード切換スイッチ５６を操作しないで警報ブザー５８を鳴動しないようにすることができる。従って、帰宅時に警報ブザー３８が鳴動しないようにする操作が簡単になり、セキュリティシステム１００の利便性を向上させることができる。
【００８４】
また、モニタ側マイコン５４は、警戒リセット信号を受信すると、追加警戒モードＭ４に切り換わる前の警戒モード（在宅警戒モードＭ２または外出警戒モードＭ３）に切り換わる。すなわち、ドアセンサ装置１０を操作しただけでは在宅モードＭ１には切り換わらず、警戒モードが維持される。このため、暗証コードの入力のみを行い、モード切換スイッチ５６を操作しない場合には、第三者により窓３または窓４が解錠された場合や、勝手口ドア５が開かれた場合には警報ブザー５８が鳴動する。例えば、忘れ物を取りに玄関ドア２から一時的に屋内に入り、ドアセンサ装置１０の暗証コード入力部１３を操作することにより、屋内に入ってから屋外に出るまでの間においても、窓３や窓４が解錠された場合及び勝手口ドア５が開かれた場合には警報ブザー５８を鳴動させることができる。従って、建物のセキュリティレベルを一層向上させることができる。
【００８５】
次に、前記実施形態から把握できる技術的思想について以下に追記する。
（１）請求項１〜３に記載の発明において、前記センサ装置は、前記警戒セット信号を出力した直後、所定期間にわたって前記開閉体の開閉状態または施解錠状態を報知しないこと。
【００８６】
（２）請求項１〜３、技術的思想（１）のいずれか１項に記載の発明において、前記センサ制御手段は、所定期間内に前記第２制御手段が操作されない場合、前記開閉体が開かれた旨を報知すること。
【００８７】
（３）建物の開閉体の開閉状態または施解錠状態を監視して警報を発しない監視モード及び該監視とともに前記開閉体が開かれた場合または前記開閉体が解錠された場合に警報を発する警戒モードとを有し、警戒セット信号を受信した場合に警戒モードから監視モードへの切り換えを不可とするモニタ装置との間で通信を行うセンサ装置であって、
前記開閉体の開閉状態または施解錠状態を検出する検出手段と、前記開閉体の近傍に配設された第１操作手段及び第２操作手段とを備え、前記開閉体の開閉状態または施解錠状態を前記モニタ装置に出力するとともに、前記第１操作手段が操作されたことに基づいて前記警戒セット信号を出力するセンサ装置。なお、検出手段は、前記実施形態においてはリードスイッチに相当する。
【図面の簡単な説明】
【００８８】
【図１】本実施形態におけるセキュリティシステムが設けられた住宅の斜視図。
【図２】同じく、玄関ドア周辺の斜視図。
【図３】同じく、第１窓センサ装置、ドアセンサ装置、及びモニタ装置のブロック図。
【図４】同じく、ドアセンサ装置の斜視図。
【図５】同じく、モニタ側表示部の概略外観図
【図６】（ａ）及び（ｂ）は、同じく、ドアセンサ側マイコンのタイミングチャート。
【図７】同じく、モニタ装置のモードの切り換えを示す模式図。
【図８】（ａ）及び（ｂ）は、同じく、モニタ装置のモードの切り換えを示す模式図。
【図９】同じく、モニタ側マイコンが行うセキュリティ制御のフローチャート。
【図１０】同じく、モニタ側マイコンが行うセキュリティ制御のフローチャート。
【図１１】同じく、ドアセンサ装置とモニタ装置との間で行われる処理の流れを示すシーケンス図。
【図１２】（ａ）及び（ｂ）は、他の実施形態におけるモニタ装置のモードの切り換えを示す模式図。
【符号の説明】
【００８９】
１０…センサ装置としてのドアセンサ装置、１２…第１操作手段としての追加警戒モードセットスイッチ、１３…第２操作手段としての暗証コード入力部、１５…センサ側制御手段としてのドアセンサ側マイコン、１５ａ…記録手段としてのＲＯＭ、２０…センサ装置としての第１窓センサ装置、３０…センサ装置としての第２窓センサ装置、４０…センサ装置としての勝手口センサ装置、５０…モニタ装置、５４…モニタ側制御手段としてのモニタ側マイコン、５６…モニタ側操作手段としてのモード切換スイッチ、１００…セキュリティシステム、Ｍ１…監視モードとしての在宅モード、Ｍ２…警戒モードとしての在宅警戒モード、Ｍ３…警戒モードとしての外出警戒モード。
【図１】
2005141394.tif 000003
【図２】
2005141394.tif 000004
【図３】
2005141394.tif 000005
【図４】
2005141394.tif 000006
【図５】
2005141394.tif 000007
【図６】
2005141394.tif 000008
【図７】
2005141394.tif 000009
【図８】
2005141394.tif 000010
【図９】
2005141394.tif 000011
【図１０】
2005141394.tif 000012
【図１１】
2005141394.tif 000013
【図１２】
2005141394.tif 000014